(57)【要約】      （修正有）【課題】給油装置上に設置する販売装置において、貨幣補充を安全且つ短時間に行う燃料油販売装置を提供する。【解決手段】表示操作画面をそれぞれ備えるＰＯＳ端末機と、筐体４３Ａの表裏両面に開口する入金用の硬貨が１枚ずつ投入される硬貨投入口、出金用の硬貨が貯留される硬貨貯留部および筐体４３Ａの表裏両面の少なくともいずれか一方に開口して硬貨貯留部に補充する硬貨が複数枚一括して投入される硬貨補充口４５２を備える貨幣取扱機４３とを給油部を備える給油装置上に設置する。【選択図】図９
0003172250.tif 000002
【実用新案登録請求の範囲】
【請求項１】
自動車用等の燃料油を給油する給油部を表裏両面に備えた給油装置上に設置される両面型燃料油販売装置であって、
前記表裏両面の給油部にそれぞれ対応する表示操作画面を有する表示操作部と、
該表示操作部に隣接した、前記表裏両面の給油部に対して共通の貨幣取扱部であって、筐体と、該筐体の表裏両面に開口する入金用の硬貨が１枚ずつ投入される硬貨投入口と、出金用の硬貨が貯留される硬貨貯留部と、前記筐体の表裏両面の少なくともいずれか一方に開口して前記硬貨貯留部に補充する硬貨が複数枚一括して投入される硬貨補充口とを備えていることを特徴とする両面型燃料油販売装置。
【請求項２】
前記貨幣取扱部が、さらに出金用の紙幣が貯留される紙幣貯留部と、前記筐体の表裏両面に設けた入金用の紙幣を投入する紙幣投入口とを備え、該紙幣投入口のうち、前記硬貨補充口と同じ面に設けられた前記紙幣投入口が、前記紙幣貯留部に補充する紙幣を投入するものであることを特徴とする請求項１に記載の両面型燃料油販売装置。
【請求項３】
前記貨幣取扱部が、前記投入された前記入金用の硬貨および前記補充された硬貨の真贋と金種とを認識するとともに枚数を計数する硬貨認識計数部と、前記投入された前記入金用の紙幣および前記補充された紙幣の真贋と金種とを認識するとともに枚数を計数する紙幣認識計数部とを備えていることを特徴とする請求項２に記載の両面型燃料油販売装置。
【請求項４】
前記貨幣取扱部が、前記硬貨を補充するときのみに前記硬貨補充口を前記筐体の表裏両面の少なくともいずれか一方に開口させるシャッタを備えていることを特徴とする請求項１〜３のいずれか１項に記載の両面型燃料油販売装置。
【請求項５】
前記貨幣取扱部が、前記シャッタの動作をロックする施錠手段を備えていることを特徴とする請求項４に記載の両面型燃料油販売装置。
【請求項６】
前記貨幣取扱部が、前記シャッタを前記筐体の表裏両面の少なくともいずれか一方に遮蔽または露出させるように、前記筐体に支持された開閉扉を備えていることを特徴とする請求項４または５に記載の両面型燃料油販売装置。
【請求項７】
前記貨幣取扱部が、前記補充される硬貨を受け止めるとともに、前記硬貨補充口に導く、該硬貨補充口に着脱自在の硬貨ガイドを備えていることを特徴とする請求項１〜６のいずれか１項に記載の両面型燃料油販売装置。
【請求項８】
前記表示操作部が、前記表示操作画面を前記表示操作部の表裏両面にそれぞれ備えるものであり、前記表示操作画面のうち、前記硬貨補充口と同じ面側の前記表示操作画面が、貨幣補充の操作を表示するものであることを特徴とする請求項１〜７のいずれか１項に記載の両面型燃料油販売装置。
【考案の詳細な説明】
【技術分野】
【０００１】
本考案は自動車用等の燃料油を販売する燃料油販売装置に関する。より詳しくは、表裏両面に給油部を備えた給油装置上に設置され、表裏両面の給油部に対応する両面型燃料油販売装置に関する。
【背景技術】
【０００２】
近年、利用者自身が給油作業を行うセルフ給油方式の給油所が普及しつつある。このようなセルフ給油方式の給油所では、利用者の負担を軽減させるために給油装置の利用方法や、料金の精算を分かりやすく行うことが求められている。
【０００３】
そして、この精算方式も、現金、プリペイドカード等と多種多様であり、これらを纏めて処理するために販売時点情報管理方式（以下、ＰＯＳシステムという）が導入されている。したがって、セルフ給油方式の給油所では、ＰＯＳ端末機と貨幣取扱機とからなる燃料油販売装置が給油装置とともに設置されている。
【０００４】
特許文献１には、各レーンに対応した給油装置をアイランド上にそれぞれ設け、当該アイランド上に各給油装置に対応する両面型燃料油販売装置を独立して設けることが提案されている。
【０００５】
しかしながら、近年、精算を給油装置により近い場所で行いたいという要求や、両面型燃料油販売装置の配置スペースの制約を解消したいという要求が高まり、図１１に示すように、給油装置上に小型化した燃料油販売装置をそれぞれ設けた両面型給油販売装置が提案されている。
【先行技術文献】
【特許文献】
【０００６】
【特許文献１】特開２００９−１９９６２８号公報
【考案の概要】
【考案が解決しようとする課題】
【０００７】
ところで、このような燃料油販売装置においては、釣銭不足によって精算ができなくなることを回避するため、定期的な貨幣の補充作業を必要とする。そして、この貨幣の補充作業は、給油作業の一時的な中断を必要とするため、迅速性が要求される。
【０００８】
しかしながら、従来の貨幣の補充作業では、燃料油販売装置に設けられた扉を開け、または貨幣取扱機の機構部を引き出すなどして貨幣取扱機内へ直接的に貨幣を補充しており、多くの時間を要している。また、貨幣を補充する際に燃料油販売装置の扉を一時的に開けることは防犯の観点からも望ましいものではない。さらに、貨幣取扱機内に直接的に貨幣を補充するため、補充した金額を貨幣取扱機で正確に認識させることが困難になっている。
【０００９】
これらの問題を解決するため、燃料油販売装置の扉を開けずにまたは貨幣取扱機の機構部を引き出すことなく、貨幣を支払用の硬貨投入口や紙幣投入口から補充する補充作業も考え得るが、特に硬貨を１枚ずつ投入することは、補充作業の時間を増加させてしまう虞がある。
【００１０】
本考案は、上記事情に鑑み、給油装置上に設置する燃料油販売装置において、安全且つ短時間に貨幣補充を実現することを目的とする。
【課題を解決するための手段】
【００１１】
上記課題を解決するために、本考案による両面型燃料油販売装置は、自動車用等の燃料油を給油する給油部を表裏両面に備えた給油装置上に設置される両面型燃料油販売装置であって、表裏両面の給油部にそれぞれ対応する表示操作画面を有する表示操作部と、表示操作部に隣接した、表裏両面の給油部に対して共通の貨幣取扱部であって、筐体と、筐体の表裏両面に設けた入金用の硬貨が１枚ずつ投入される硬貨投入口と、出金用の硬貨が貯留される硬貨貯留部と、筐体の表裏両面の少なくともいずれか一方に開口して硬貨貯留部に補充する硬貨が複数枚一括して投入される硬貨補充口とを備えていることを特徴とする。ここで、本考案の両面型燃料油販売装置における「表裏両面の給油部に対して共通」とは、表裏両面の給油部の給油における貨幣の取扱に対して共通に用いられるという意味である。また、上記「筐体の表裏両面に設けた」とは、筐体の表裏両面のみに設けたものを意味するものではなく、筐体の表裏両面上の化粧板や、各種ベゼル等を含んで設けたものをも含む意味である。
【００１２】
また、本考案による両面型燃料油販売装置は、貨幣取扱部が、さらに出金用の紙幣が貯留される紙幣貯留部と、筐体の表裏両面に設けた入金用の紙幣を投入する紙幣投入口とを備え、紙幣投入口のうち、硬貨補充口と同じ面に設けられた紙幣投入口が、紙幣貯留部に補充する紙幣を投入するものであってもよい。ここで、本考案の両面型燃料油販売装置における「硬貨補充口と同じ面」とは、筐体の、硬貨補充口と同一の面を意味する。
【００１３】
また、本考案による両面型燃料油販売装置は、貨幣取扱部が、投入された入金用の硬貨および補充された硬貨の真贋と金種とを認識するとともに枚数を計数する硬貨認識計数部と、投入された入金用の紙幣および補充された紙幣の真贋と金種とを認識するとともに枚数を計数する紙幣認識計数部とを備えるものであってもよい。
【００１４】
また、本考案による両面型燃料油販売装置は、貨幣取扱部が、硬貨を補充するときのみに硬貨補充口を筐体の表裏両面の少なくともいずれか一方に開口させるシャッタを備えるものであってもよい。また、本考案による両面型燃料油販売装置は、貨幣取扱部が、シャッタの動作をロックする施錠手段を備えるものであってもよい。
【００１５】
また、本考案による両面型燃料油販売装置は、貨幣取扱部が、シャッタを筐体の表裏両面の少なくともいずれか一方に遮蔽または露出させるように、筐体に支持された開閉扉を備えるものであってもよい。また、本考案による両面型燃料油販売装置は、補充される硬貨を受け止めるとともに、硬貨補充口に導く、硬貨補充口に着脱自在の硬貨ガイドを備えるものであってもよい。また、本考案による両面型燃料油販売装置は、表示操作部が、表示操作画面を表示操作部の表裏両面にそれぞれ備えるものであり、表示操作画面のうち、硬貨補充口と同じ面側の表示操作画面が、貨幣補充の操作を表示するものであってもよい。ここで、本考案の両面型燃料油販売装置における「同じ面側」とは、貨幣補充の指示を受け付ける表示操作画面を備える表示操作部の面が、硬貨補充口を設けた貨幣取扱部の筐体の面と同じ側になることを意味する。
【考案の効果】
【００１６】
本考案の両面型燃料油販売装置によれば、表裏両面の給油部にそれぞれ対応する表示操作画面を備える表示操作部と、表示操作部に隣接した、表裏両面の給油部に対して共通の貨幣取扱部であって、筐体と、筐体の表裏両面に設けた入金用の硬貨が１枚ずつ投入される硬貨投入口と、出金用の硬貨が貯留される硬貨貯留部と、筐体の表裏両面の少なくともいずれか一方に開口して硬貨貯留部に補充する硬貨が複数枚一括して投入される硬貨補充口を備えたことにより、補充する硬貨を貨幣取扱部の表面または裏面から一括して投入できるため、安全且つ短時間に貨幣補充ができる。
【００１７】
また、本考案の両面型燃料油販売装置によれば、貨幣取扱部が、さらに出金用の紙幣が貯留される紙幣貯留部と、筐体の表裏両面に設けた入金用の紙幣を投入する紙幣投入口とを備え、紙幣投入口のうち、硬貨補充口と同じ面に設けられた紙幣投入口が、紙幣貯留部に補充する紙幣を投入するものであることにより、補充する硬貨および紙幣を貨幣取扱部の同じ面から一括して投入できるため、安全且つ短時間に貨幣補充ができる。
【００１８】
また、本考案の両面型燃料油販売装置によれば、貨幣取扱部が、投入された入金用の硬貨および補充された硬貨の真贋と金種とを認識するとともに枚数を計数する硬貨認識計数部と、投入された入金用の紙幣および補充された紙幣の真贋と金種とを認識するとともに枚数を計数する紙幣認識計数部とを備えることにより、補充された硬貨および紙幣の投入額を正確に把握しつつ、安全且つ短時間に貨幣補充ができる。
【図面の簡単な説明】
【００１９】
【図１】両面型給油販売装置の外観正面図
【図２】両面型給油販売装置の外観背面図
【図３】両面型燃料油販売装置の外観正面図
【図４】両面型燃料油販売装置の外観背面図
【図５】両面型燃料油販売装置の外観平面図
【図６】セルフ方式の給油所における給油システムの構成図
【図７】貨幣取扱機の外観斜視図（その１）
【図８】硬貨ガイドの外観斜視図
【図９】貨幣取扱機の外観斜視図（その２）
【図１０】貨幣取扱機の構成図
【図１１】従来の両面型給油販売装置の構成図
【考案を実施するための形態】
【００２０】
以下、本考案の一実施形態について図面を用いて説明する。図１および図２は、本考案による両面型燃料油販売装置の一実施形態を用いた両面型給油販売装置１の構成を示すものである。両面型給油販売装置１は、アイランド上に配置され、両面型給油販売装置１の表裏両側の各レーンに停車する車両に給油を行うとともに、各レーンでの給油におけるガイダンスや精算を行うものである。本実施形態において、図１は両面型給油販売装置１を表側から見た外観正面図、図２は両面型給油販売装置１を裏側から見た外観背面図とする。なお、本実施形態における表裏は特に限定されるものではない。
【００２１】
両面型給油販売装置１は、図１および図２が示すように、門型のフレーム２と、フレーム２内に配設された給油装置３と、給油装置３上に配設された本考案の一実施形態である両面型燃料油販売装置４とから構成されている。
【００２２】
最初に給油装置３について説明する。給油装置３は、両面型燃料油販売装置４に隣接する給油表示部３１と、複数の油種、例えばレギュラーガソリン、ハイオクガソリン、軽油の３油種を給油できる給油部３２Ａ，３２Ｂを表裏両面にそれぞれ備えている。給油表示部３１は、実際に給油した給油量や燃料油の単価等を示す給油表示画面３１Ａ，３１Ｂを表裏両面にそれぞれ有している。
【００２３】
給油部３２Ａ，３２Ｂは、油種毎の給油ノズル３２１Ａ，３２１Ｂ、給油ノズル３２１Ａ，３２１Ｂを保持するノズル保持部３２２Ａ，３２２Ｂ、および先端が給油ノズル３２１Ａ，３２１Ｂに接続され、フレーム２内を通り、基端が両面型給油販売装置１下の不図示の油圧機構部に接続されている給油ホース３２３Ａ，３２３Ｂを備えている。
【００２４】
次に本考案の一実施形態である両面型燃料油販売装置４について説明する。図３は、図１を要部拡大した両面型燃料油販売装置４の外観正面図、図４は図２を要部拡大した両面型燃料油販売装置４の外観背面図である。図５は両面型燃料油販売装置４の外観平面図である。
【００２５】
両面型燃料油販売装置４は、給油部３２Ａ，３２Ｂでの給油に対するガイダンス、精算および領収書の発行を行うものである。そして、両面型燃料油販売装置４は、シャーシ４１、シャーシ４１内に収容された１台のＰＯＳ端末機４２およびＰＯＳ端末機４２と隣接してシャーシ４１内に収容された１台の貨幣取扱機４３で構成されている。なお、ＰＯＳ端末機４２は、表面側および裏面側にそれぞれ分割されて構成されたものであってもよい。
【００２６】
シャーシ４１は給油装置に組み込まれるＰＯＳ端末機の日本国内業界標準規格の大きさを有するものであり、両面型燃料油販売装置４は、当該規格を満たす設置スペースを有する給油装置３上であれば設置可能であり、汎用性を有している。すなわち両面型燃料油販売装置４は、剛性の高い鋼製等のシャーシ４１にＰＯＳ端末機４２と貨幣取扱機４３とが組み付けられて、全体として一体として構成されている。
【００２７】
両面型燃料油販売装置４の詳細を説明する前に、両面型給油販売装置１を設置したセルフ給油方式の給油所における給油システムについて説明する。図６は給油システムの構成図である。
【００２８】
セルフ給油方式の給油所においては、図６に示すようにＰＯＳシステムが導入されている。このＰＯＳシステムでは、給油所内に設置したＰＯＳ本体機５とＰＯＳ端末機４２とをＰＯＳ専用ＬＡＮで接続し、ＰＯＳ本体機５、給油装置３および貨幣取扱機４３を給油所標準規格ＬＡＮ（以下、ＳＳ−ＬＡＮという。）で接続している。また、ＰＯＳ端末機４２と貨幣取扱機４３とは不図示のケーブルを介して外部接続している。なお、本実施形態では、貨幣取扱機４３が、ＳＳ−ＬＡＮおよび外部接続の２つの経路で通信するものとして説明するが、ＰＯＳ本体機５との通信内容を外部接続のみを使用して、ＰＯＳ端末機４２を経由して通信する構成であってもよい。
【００２９】
このＰＯＳシステムにおける給油作業の開始から精算終了までの処理について説明する。ＰＯＳ端末機４２が、人物感知センサ等により利用者の接近を感知すると、両面型給油販売装置１の利用案内のガイダンスを開始する。次に、ＰＯＳ端末機４２は、給油作業に先立って利用者による油種、給油量および精算方式等の給油条件を受け付け、受け付けた各種情報をＰＯＳ専用ＬＡＮを介してＰＯＳ本体機５へ送信する。
【００３０】
現金による精算の場合、貨幣取扱機４３が、硬貨および／または紙幣による入金を受け付け、入金額をＳＳ−ＬＡＮを介してＰＯＳ本体機５へ送信する。また、現金以外のクレジットカード、プリペイドカードまたは電子マネーによる精算の場合、ＰＯＳ端末機４２が各種カード、電子マネー等の情報を読み取り、ＰＯＳ本体機５へ送信する。
【００３１】
給油所の販売員が給油作業を安全に行えることを確認すると、ＰＯＳ本体機５が給油装置３に利用許可を送信する。利用者がノズル保持部３２２Ａ，３２２Ｂから給油ノズル３２１Ａ，３２１Ｂを取り外して給油作業を開始する。
【００３２】
給油装置３が、給油を開始して給油表示部３１Ａ，３１Ｂに実際の給油量を表示する。利用者が給油ノズル３２１Ａ，３２１Ｂをノズル保持部３２２Ａ，３２２Ｂに戻して給油作業を終了する。給油装置３は、給油中に実際に給油した油種、給油量をＳＳ−ＬＡＮを介してＰＯＳ本体機５へ送信する。ＰＯＳ本体機５が、料金を計算し、ＰＯＳ専用ＬＡＮを介してＰＯＳ端末機４２に精算結果とレシートの発行情報を送信し、釣銭に関する情報はＳＳ−ＬＡＮを介して貨幣取扱機４３に送信する。
【００３３】
現金による精算であって釣銭が必要な場合、貨幣取扱機４３が、硬貨および／または紙幣の出金を行う。現金以外の精算である場合、ＰＯＳ本体機５が、読み取ったカード等の情報に基づいて精算処理を行う。そして、ＰＯＳ端末機４２が領収書の発行を行う。
【００３４】
再び図３ないし図５を参照して説明する。ＰＯＳ端末機４２は、ＰＯＳ端末機４２の筐体４２Ａの表裏両面に、表示操作画面４２１Ａ，４２１Ｂ、クレジットカードやプリペイドカード等の各種カード情報を読み取るカード情報読取部４２５Ａ，４２５Ｂ、電子マネー媒体の情報を読み取る電子マネー情報読取部４２３Ａ，４２３Ｂ、音声ガイダンスを行うスピーカ４２４Ａ，４２４Ｂおよび領収書を発行する領収書発行部４２２Ａ，４２２Ｂをそれぞれ備えている。なお、ＰＯＳ端末機４２は、表示操作画面４２１Ａ，４２１Ｂ以外の上記の構成（不図示のインターホンを含む）を機能要求に応じて適宜取捨選択できるものである。
【００３５】
表示操作画面４２１Ａ，４２１Ｂは、液晶画面と当該液晶表示画面の前面に設けられたタッチパネルで構成され、ガイダンスの表示、給油条件の受け付けおよび貨幣取扱機４３のメンテナンス操作を行うものである。
【００３６】
カード情報読取部４２５Ａ，４２５Ｂは、不図示のカード挿入口に挿入された各種カードの情報を読み取るものである。電子マネー情報読取部４２３Ａ，４２３Ｂは、電子マネー媒体の情報を読み取るものである。領収書発行部４２２Ａ，４２２Ｂは、内蔵されたプリンタで印刷された領収書を不図示のレシート排出口から排出するものである。また、ＰＯＳ端末機４２は、前述の通り、不図示の人物感知センサを備えるものである。
【００３７】
貨幣取扱機４３は、表裏両側の給油部３２Ａ，３２Ｂによる給油代金の現金による入金および出金（釣銭）に対して、入金用の紙幣および／または硬貨の受け取りおよび貯留、出金用の紙幣および／または硬貨の貯留および払い出しを行うものである。貨幣取扱機４３は、図３および図４に示すように、入金用の硬貨が投入される硬貨投入部４３１，４３２、出金用の硬貨が払い出される硬貨払出部４３３，４３４、入金用および出金用の紙幣が投入および払い出される紙幣投入払出部４３５，４３６を筐体４３Ａの表裏両面にそれぞれ備えている。
【００３８】
硬貨投入部４３１，４３２は、筐体４３Ａの表裏両面に開口する硬貨投入口４３１Ａ，４３２Ａ、筐体４３Ａに開閉自在に支持されて硬貨投入口４３１Ａ，４３２Ａを露出または遮蔽する投入扉４３１Ｂ，４３２Ｂを備えている。利用者は、投入扉４３１Ｂ，４３２Ｂを開けて硬貨投入口４３１Ａ，４３２Ａに硬貨を１枚ずつ投入する。
【００３９】
硬貨払出部４３３，４３４は、筐体４３Ａの表裏両面に開口する硬貨払出口４３３Ａ，４３４Ａ、筐体４３Ａから突出し、払い出された硬貨を収容する硬貨収容皿４３３Ｂ，４３４Ｂ、筐体に開閉自在に支持され硬貨収容皿４３３Ｂ，４３４Ｂに払い出された硬貨を露出または遮蔽する払出扉４３３Ｃ，４３４Ｃを備えている。利用者は、払出扉４３３Ｃ，４３４Ｃを開けて硬貨払出口４３３Ａ，４３４Ａから払い出されて硬貨収容皿４３３Ｂ，４３４Ｂに収容されている硬貨を受け取る。
【００４０】
紙幣投入払出部４３５，４３６は、筐体４３Ａの表裏両面に開口する紙幣投入払出口４３５Ａ，４３６Ａ、筐体４３Ａに開閉自在に支持されて紙幣投入払出口４３５Ａ，４３６Ａを露出または遮蔽する投入払出扉４３５Ｂ，４３６Ｂを備えている。利用者は、投入払出扉４３５Ｂ，４３６Ｂを開けて紙幣投入払出口４３５Ａ，４３６Ａに紙幣を投入、または紙幣投入払出口４３５Ａ，４３６Ａから紙幣を受け取る。
【００４１】
また、貨幣取扱機４３は、補充する硬貨を複数枚一括して投入できる硬貨補充部４５を筐体４３Ａの表裏両面の少なくともいずれか一方に備えている。本実施形態では、貨幣取扱機４３は、裏面側にのみ硬貨補充部４５を備えているが、特に限定されるものではなく、表裏両面、もしくは、表面側にのみ備えるものであってもよい。
【００４２】
図７は、硬貨補充部４５を裏面側に設けた貨幣取扱機４３の要部拡大した外観斜視図である。硬貨補充部４５は、図７に示すように、筐体４３Ａに開閉自在に支持された補充扉４５１、硬貨補充口４５２（図９、図１０参照）を開口させる補充口シャッタ４５３、補充口シャッタ４５３の動作を施錠する不図示のロック機構から構成されるものである。
【００４３】
補充扉４５１は、硬貨を補充するときのみに補充口シャッタ４５３を露出させ、硬貨を補充しないときは補充口シャッタ４５３を遮蔽するものである。この補充扉４５１を設けることにより、利用者に補充口シャッタ４５３の存在を気付かせないこと、貨幣取扱機４３の美観が向上すること、補充口シャッタ４５３への塵および埃等の進入を防止できること、そして、補充口シャッタ４５３を保護できる等の効果が得られる。
【００４４】
補充口シャッタ４５３は、筐体４３Ａに支持され、硬貨を補充するときにのみ、硬貨補充口４５２を開口させるものである。また、前述の不図示のロック機構は、防犯性を向上させるため補充口シャッタ４５３の動作をロックする施錠手段であり、電磁ロック等によって構成される。
【００４５】
また、貨幣取扱機４３は、硬貨をより補充し易くするために、図８に示すような硬貨ガイドとして硬貨補充口４５２に着脱自在な漏斗４５５を用いて硬貨を補充するものであってもよい。漏斗４５５は、図８に示すように、口径が小さい挿入部４５５Ａと口径の大きい投入部４５５Ｂとから構成されている。
【００４６】
図９は漏斗４５５を用いて硬貨を補充するときの貨幣取扱機４３の外観斜視図である。漏斗４５５は、図９に示す通り、挿入部４５５Ａを硬貨補充口４５２に挿入することにより、投入された硬貨を投入部４５５Ｂで受け止め、挿入部４５５Ａを経て硬貨補充口４５２に導くものである。なお、漏斗４５５は、硬貨補充口４５２よりも小さな口径を有する挿入部４５５Ａおよび硬貨補充口４５２よりも大きな口径を有する投入部４５５Ｂから構成されるもの、いわゆる漏斗としての機能を有するものであれば、その形状、材質は特に限定されるものではない。
【００４７】
貨幣取扱機４３は、補充する紙幣も貨幣取扱機４３の硬貨補充口４５２と同じ面から投入できるように、紙幣投入払出口４３６Ａを補充する紙幣が投入される紙幣補充口４４５として機能させるものであってもよい。また、貨幣取扱機４３は、硬貨補充部４５を貨幣取扱機４３の表面に設けた場合は表面の紙幣投入払出口４３５Ａを紙幣補充口４４５として機能させてもよい。本実施形態では、貨幣取扱機４３は、硬貨補充口４５２と同様に裏面側にのみ紙幣補充口４５を備えているが、特に限定されるものではなく、表裏両面、もしくは、表面側にのみ備えるものであってもよい。
【００４８】
次に貨幣取扱機４３の内部を含む構成について説明する。図１０は貨幣取扱機４３の構成図である。貨幣取扱機４３は、図１０に示すように、硬貨投入口４３１Ａ，４３２Ａから投入された入金用の硬貨および硬貨補充口４５２から投入された補充用の硬貨を搬入する硬貨搬入部４３７、搬入された硬貨の真贋と金種とを認識するとともに、各金種の枚数を計数する硬貨認識計数部４３８、真贋と金種との認識および枚数が計数された硬貨を金種別に一括して貯留する硬貨貯留部４３９、貯留された硬貨を出金用（釣銭用）として硬貨払出口４３３Ａ，４３４Ａに搬出する硬貨搬出部４４０、紙幣投入払出口４３５Ａ，４３６Ａから投入された入金用の紙幣および紙幣補充口４４５から投入された補充用の紙幣を搬入するとともに、紙幣投入払出口４３５Ａ，４３６Ａに出金用（釣銭用）の紙幣を搬出する紙幣搬送部４４１、搬入された紙幣の真贋と金種とを認識するとともに、各金種の枚数を計数する紙幣認識計数部４４２、真贋と金種との認識および枚数が計数された紙幣を金種別に一括して貯留する紙幣貯留部４４３および制御部４４４を備えている。
【００４９】
入金された貨幣は、金種別に貯留されるため、入金された貨幣の一部は出金用の貨幣として払い出される（以下、還流と称する）。しかしながら、通常、一万円札は釣銭の対象とはならないので還流されない。なお、貨幣取扱機４３は、通常一定金額の釣銭用の準備貨幣をあらかじめ貯留して使用開始される。
【００５０】
硬貨搬入部４３７、硬貨搬出部４４０および紙幣搬送部４４１は、搬送コンベアで構成されているが、特に限定されるものではなく、表裏両面それぞれから投入された硬貨および紙幣を搬送できるものであればよく、図１０に示すように、表からの搬送、共通の搬送、裏からの搬送の３つの搬送手段から構成されることが望ましい。硬貨認識計数部４３８は、硬貨の真贋と金種、すなわち一円硬貨、五円硬貨、十円硬貨、五十円硬貨、百円硬貨および五百円硬貨を認識して各枚数を計数するものである。また、硬貨貯留部４３９は、金種毎に硬貨を一括して貯留するものであり、ホッパー式等の還流式貯留庫で構成されている。また、紙幣認識計数部４４２は、表裏それぞれから投入された紙幣の真贋と金種、すなわち千円札、二千円札、五千円札および一万円札を認識して各枚数を計数するものである。
【００５１】
制御部４４４は、貨幣取扱機４３の全体を制御するとともに、前述の通り、ＳＳ−ＬＡＮを介してＰＯＳ本体機５と入出金情報を通信し、もしくは、ＰＯＳ端末機４２と外部接続してメンテナンス情報を通信するものである。すなわち、貨幣取扱機４３内で発生するエラー情報や状態を隣接するＰＯＳ端末機４２の表示操作画面４２１Ａ，４２１Ｂを用いて、専用のメンテナンス用プログラムによって表示させることができるため、貨幣取扱機４３の内部構造体を必ずしも引き出して確認することなく情報が入手できるため、保守性が向上する。
【００５２】
制御部４４４は、表裏両側からの入金が同時に発生した場合、不図示の入金センサによって先に入金された側を優先させてもよく、あらかじめ表側または裏側かの優先順位を設定して対応するものであってもよい。そして、制御部４４４は、待機側の硬貨投入口をシャッタ等で遮蔽したり、待機側の紙幣投入払出口から投入された紙幣を紙幣搬送部４４１の途中で保持する等の処理を行わせることも可能である。制御部４４４は、不図示の入金センサと、優先の設定、前述の表裏からの貨幣投入に対して共通で使用される硬貨認識計数部４３８、紙幣認識計数部４４２により、表面、裏面いずれかからの入金であるかと金額をＰＯＳ本体機５に通知することができる。
【００５３】
貨幣補充の一連の処理について説明する。給油所の販売員は、例えば、ＰＯＳ端末機４２の貨幣補充を行う面側の表示操作画面４２１Ｂを操作して通貨補充メニュープログラムを起動させる。これにより、表示操作画面４２１Ｂに貨幣補充の操作が表示されるとともに、ＰＯＳ端末機４２は、貨幣取扱機４３へ貨幣補充を行う旨の操作を行う指令を外部接続を介して送信する。販売員が、補充扉４５１を開き、不図示のロック機構を解除し、補充口シャッタ４５３を開けて硬貨補充口４５２を開口させる。販売員は硬貨補充口４５２に補充硬貨を一括して投入する。また、必要に応じて漏斗４５５を使用し、当該挿入部４５５Ａを硬貨補充口４５２に挿入して投入部４５５Ｂに硬貨を一括して投入する。これにより、より多くの硬貨を一括して投入することができる。投入された複数の硬貨は硬貨補充口４５２に一括して導かれる。
【００５４】
硬貨搬入部４３７が、補充された硬貨を硬貨認識計数部４３８に搬入し、硬貨認識計数部４３８が補充された硬貨の真贋および金種を認識して数量を計数する。硬貨貯留部４３９が計数された硬貨を貯留する。次に、給油所の販売員が、紙幣補充口４４５から補充用の紙幣を投入する。紙幣搬送部４４１が補充用の紙幣を紙幣認識計数部４４２に搬送し、紙幣認識計数部４４２が補充された紙幣の真贋および金種を認識して数量を計数する。紙幣貯留部４４３が計数された紙幣を貯留する。計数された硬貨および紙幣は、適宜外部接続を介して通貨の補充操作を行っている面と同じ側にある表示操作画面４２１Ｂに通貨補充メニュープログラムよって表示される。なお、紙幣および硬貨を補充する順序は限定されるものではなく、紙幣および硬貨の補充は同時であってもよい。また、制御部４４４は、貨幣補充が行われている間、補充を行っている裏面とは反対の表面の硬貨投入口４３１Ａ、紙幣投入口払出口４３５Ａからの貨幣投入を受け付けないように、硬貨投入口４３１Ａをシャッタ等で遮蔽したり、紙幣投入払出口４３５Ａから投入された紙幣を紙幣搬送部４４１が搬送しないように制御するのが望ましい。
【００５５】
上記の実施形態によれば、給油部３２Ａ，３２Ｂに対応するＰＯＳ端末機４２と、ＰＯＳ端末機４２に隣接した、筐体４３Ａの表裏両面に開口する入金用の硬貨が１枚ずつ投入される硬貨投入口４３１Ａ，４３２Ａ、出金用の硬貨が貯留される硬貨貯留部４３９、筐体４３Ａの表裏両面の少なくともいずれか一方に開口して硬貨貯留部４３９に補充する硬貨が複数枚一括して投入される硬貨補充口４５２を備えたことにより、両面型燃料油販売装置４の扉を開けることなく、または貨幣取扱機の機構部を引き出すことなく貨幣取扱機４３の通常の入出金面から一括して硬貨を投入できるため、安全且つ短時間に貨幣補充ができる。
【００５６】
また、上記の実施形態によれば、貨幣取扱機４３が、出金用の紙幣が貯留される紙幣貯留部４４３と、筐体４３Ａの表裏両面に設けた入金用の紙幣が投入されるとともに出金用の紙幣が払い出される紙幣投入払出口４３５Ａ，４３６Ａのうち、硬貨補充口４５２と同じ面にある紙幣投入払出口を紙幣貯留部４４３に補充する紙幣を投入する紙幣補充口４４５として利用することにより、硬貨補充口と同じ面から補充用の紙幣も投入できるため、安全且つ短時間に貨幣補充ができる。
【００５７】
また、上記の実施形態によれば、硬貨認識計数部４３８が、入金用の硬貨および補充された硬貨の両方の真贋および金種を認識して枚数を計数するとともに、紙幣認識計数部４４２が、入金用の紙幣および補充された紙幣の両方の真贋および金種を認識して枚数を計数するため、補充された硬貨および紙幣の金額を正確に把握しつつ、安全且つ短時間に貨幣補充ができる。
【符号の説明】
【００５８】
１                  両面型給油販売装置
３                  給油装置
４                  両面型燃料油販売装置
３２Ａ，３２Ｂ      給油部
４２                ＰＯＳ端末機（表示操作部）
４３                貨幣取扱機（貨幣取扱部）
４３Ａ              筐体
４５                硬貨補充部
４２１Ａ，４２１Ｂ  表示操作画面
４３１Ａ，４３２Ａ  硬貨投入口
４３５Ａ，４３６Ａ  紙幣投入払出口（紙幣投入口）
４３８              硬貨認識計数部
４３９              硬貨貯留部
４４２              紙幣認識計数部
４４３              紙幣貯留部
４４５              紙幣補充口
４５１              補充扉
４５２              硬貨補充口
４５３              補充口シャッタ
【図１】
0003172250.tif 000003
【図２】
0003172250.tif 000004
【図３】
0003172250.tif 000005
【図４】
0003172250.tif 000006
【図５】
0003172250.tif 000007
【図６】
0003172250.tif 000008
【図７】
0003172250.tif 000009
【図８】
0003172250.tif 000010
【図９】
0003172250.tif 000011
【図１０】
0003172250.tif 000012
【図１１】
0003172250.tif 000013